(57)【要約】【課題】  画像読取記録装置において、記録紙排紙トレイとカートリッジドアの２つの扉の開閉検知を１つのセンサで低コストに行う。【解決手段】  画像読取記録装置において、記録部の前方に開閉可能にカバー部材を設け、前記カバー部材の前方に前記記録部で記録されたシートを積載する排紙積載部を開閉可能に設け、開閉検知センサを設け、前記排紙積載部と前記カバー部材の２つの開閉を前記１つの開閉検知センサで検知することを特徴とする。【選択図】  図１
2006217029.tif 000002
【特許請求の範囲】
【請求項１】
被記録媒体にインク滴を吐出することによって入力画像情報の記録を行う複数色に対応した複数の記録ヘッドと該記録ヘッドへインクを供給する複数のインクカートリッジとを載置して主走査方向に沿って往復移動するキャリッジと、前記キャリッジの支持および駆動する部材を保持するシャーシとを有する記録部と、複数枚のシートを積載するシート積載部と、前記記録部にシートを給送する給送手段と、前記記録部の略上方に配置された被読取対象物から文字や画像を読み取る画像読取手段と、装置電源部と、装置全体を制御するための制御部を有する画像形成装置において、
前記記録部の前方に開閉可能にカバー部材を設け、前記カバー部材の前方に前記記録部で記録されたシートを積載する排紙積載部を開閉可能に設け、開閉検知センサを設け、前記排紙積載部と前記カバー部材の２つの開閉を前記１つの開閉検知センサで検知することを特徴とする画像読取記録装置。
【請求項２】
前記カバー部材を開放することにより、前記インクカートリッジが交換可能なように構成されことを特徴とする請求項１記載の画像形成装置。
【請求項３】
前記カバー部材の装置左右方向の一辺を回動中心として開閉可能に構成したことを特徴とする請求項１〜３記載の画像読取記録装置。
【請求項４】
前記排紙積載部に、記録されたシートの端部を支持する排紙積載部材を移動可能で前記排紙積載部に収納可能に設けたことを特徴とする請求項１記載の画像読取記録装置。
【発明の詳細な説明】
【技術分野】
【０００１】
本発明は、ファクシミリ、複写機、複合機などの画像読取記録装置に関するものである。
【背景技術】
【０００２】
従来、記録部カバーにカートリッジ交換検知センサが付いていて、排紙積載トレーに開閉検知センサは付いていなかった。また、センサを設けてある場合は、前記二つのどちらにも検知センサが付いていた。
【０００３】
又、別の従来例としては、例えば特許文献１と特許文献２をあげることが出来る。
【特許文献１】特開平８−１１０６６０号公報
【特許文献２】特開２００４−９４０４号公報
【発明の開示】
【発明が解決しようとする課題】
【０００４】
しかしながら、上記従来例では、排紙積載トレイの開き忘れによるジャムが発生していた。
【０００５】
また、センサが付いていても、記録部カバーと排紙積載トレイの２つの開閉トレイにそれぞれセンサを設けていて非常にコスト高であった。
【課題を解決するための手段】
【０００６】
（１）上記目的を達成するため、本出願に係わる第一の発明は、被記録媒体にインク滴を吐出することによって入力画像情報の記録を行う複数色に対応した複数の記録ヘッドと該記録ヘッドへインクを供給する複数のインクカートリッジとを載置して主走査方向に沿って往復移動するキャリッジと、前記キャリッジの支持および駆動する部材を保持するシャーシとを有する記録部と、複数枚のシートを積載するシート積載部と、前記記録部にシートを給送する給送手段と、前記記録部の略上方に配置された被読取対象物から文字や画像を読み取る画像読取手段と、装置電源部と、装置全体を制御するための制御部を有する画像形成装置において、前記記録部の前方に開閉可能にカバー部材を設け、前記カバー部材の前方に前記記録部で記録されたシートを積載する排紙積載部を開閉可能に設け、開閉検知センサを設け、前記排紙積載部と前記カバー部材の２つの開閉を前記１つの開閉検知センサで検知することを特徴とする。
【０００７】
上記構成において、一つのセンサで排紙積載部とカバー部材の二枚のカバーの開閉検知ができるため、排紙積載部の開き忘れによるジャム防止とカートリッジ交換検知を低コストに達成することができる。
【発明の効果】
【０００８】
画像読取記録装置において、一つのセンサで排紙積載部とカートリッジカバー部材の二枚のカバーの開閉検知ができるため、排紙積載部の開き忘れによるジャム防止とカートリッジ交換検知を低コストに達成することができる。
【発明を実施するための最良の形態】
【０００９】
次に本発明に係る一実施形態である画像読取装置について説明する。
【００１０】
本実施形に係る画像読取記録装置を図に従って説明する。
【００１１】
図１は、本実施例の斜視図である。図２は、中央断面図である。図１および図２に示すように、パネル部１、画像読取部２、記録部３、電気基板部４、カードスロット部５により構成されている。
【００１２】
まず、パネル部１について説明する。
【００１３】
図３はパネル部の拡大斜視図、図４は部分断面図、図５はパネルユニットの裏面図である。
【００１４】
構造として、パネルカバー１１にキー１２がはまっておりパネル基板１６がネジ止めされている。なお、キー１２ｃ、キー１２ｂ、キーａは、図示していない個所で一体的に構成されておいる。パネル基板上には、タクトスイッチ１９がキー１２の下に半田付けされている。また、パネル基板１６上には、スペーサ１５を介して、ＬＣＤ１４が装着されている。このＬＣＤ１４の上にはＬＣＤ窓１３が取り付けてある。また、パネル基板の裏面には、電解コンデンサ１７が半田付けされている。
【００１５】
次に、カードスロット部５について説明する。
【００１６】
図１に示すように、カードスロット部５はパネル部１の下に配置されており、図１に示すように、本体の正面に配置されている。図６はパネル部１を取りはずした時の図である。カードスロット部５は、カード基板５１、カードコネクタ部５２、イジェクトボタン５３で構成されている。本体上の挿入口５４からＰＣカードが挿入できるようになっている。また、挿入されたＰＣカードはイジェクトボタン５３を押すことにより、取り外しが出来る。このＰＣカードは、ＰＣＭＣＩＡの規格に準拠したカードのことであり、本実施例では、各種メモリーカードを各メモリーカードに対応したアダプタを介したものを示している。
【００１７】
カードスロット部５は、デジタルカメラの画像等をＰＣカードを通じて、本体に読み込ませ、それらを記録部から直接印刷させること、また、ＰＣと直接接続することによりメモリーカードをＰＣよりリード、ライトさせることができる。
【００１８】
次に画像読取部２の説明をする。
【００１９】
図７は、原稿をセットする際の本体図で、原稿を裏向きにセットするガラス２３、突き当て基準白１２３がガラスの上面から貼り付けてある。突き当て基準白１２３は、原稿の端部の突き当て部となると同時にガラス２３を通して裏側からの読取りの絶対白基準となる役割がある。ガラス２３はカバー１２５により、上から押えられている。原稿の浮きを押える圧板２１と、スポンジと白色シートで構成されている圧板白シート２２がヒンジ１２４を介して取り付けられている。図８は図７からガラス２３、カバー１２５を外した状態で、画像読取部２の内部構造がわかるようにしたものである。これらの内部部品はすべてスキャナフレーム１２０に取り付けられている。画像を読取るコンタクトセンサー（以下、ＣＩＳ）２４を保持しているＣＩＳホルダー２７が、軸２５の上をガイドされて動くようになっている。また、ＣＩＳホルダー２７はモータ２８を動力として、駆動ギア部１２２で減速され、タイミングベルト２６を介して駆動されている。タイミングベルト２６は駆動ギア部１２２の対向部にプーリー２９に掛けられている。これらの動作について説明すると、コピーやＰＣからのスキャン動作の時に、ＣＩＳ２４とＣＩＳホルダー２７が、矢印Ａの方向に駆動され、ガラス２３を介して原稿を読取る。
【００２０】
次に、記録部３について説明する。
【００２１】
図２で示すように、矢印Ｂの方向に記録紙１００ａは搬送される。トレイなどを開いた状態にした外観図が図９であり、図２と合わせて説明するとＡＳＦベース３０と中板３６にセットされた記録紙１００ａの先端部は記録紙トレイ３２と記録紙補助トレイ３１により、保持されている。また、記録紙１００ａは左右方向にスライド可能なスライダー３３により、端部をガイドされており、斜行等を防止している。記録紙補助トレイ３１は、ヒンジ部３１ａを中心に矢印Ｃの方向に回転可能で記録紙トレイ３２に収納できる。また、記録紙トレイ３２は、ヒンジ部３２ａを中心に矢印Ｄの方向に回転可能であり、本体に突き当たるまで回転することができる。図１０が、図１の開いた状態の外観図、図１１が閉じた状態の外観図である。なお、記録紙トレイ３２の開閉は、図７の圧板２１の開閉とは干渉しないようになっており、お互いどの角度の状態であっても、開閉可能となっている。このように記録紙トレイ３２が折りたためることにより、通常使わない時は出っ張りがなくコンパクトにできるだけでなく、給紙部等に埃等が入るのも防止することができる。
【００２２】
以上のように積載された記録紙１００ａは、図示しないカムにより中板３６が押し上げられ、給紙ローラ３４と分離ローラ３５により一枚に分離され給送される。この分離機構は、実際に駆動されるのは給紙ローラ３４で、分離ローラ３５は、回転方向に一定以上のトルクがかからないと回転しないようになっており、複数枚の紙がこのローラ間に入ったとき、紙を分離する力より、分離ローラを回転させる力の方が強いので、一枚ずつ記録紙を搬送することができる。これらのローラで分離された原稿は搬送ローラ３７ａとピンチコロ３７ｂとの間に搬送され、一定速度でインクジェット印字部に搬送される。図１２は正面から、カートリッジドア１３３を開けた図である。インクジェット印字部にはプリントヘッドを一体的に構成しているカートリッジ３９、カラーインクタンク３８ａとブラックインクタンク３８ｂが装着されている。カートリッジ３９は、ガイドシャフト１３４にガイドされ記録紙の送り方向に対して垂直方向に動かすことにより、記録紙に印字する。印字をした記録紙は、排紙ローラ対１３０により、記録紙排紙トレイ１３１と、記録紙排紙補助トレイ１３２に排出される。なお、カートリッジドア１３３を図１２の矢印Ｇの方向に開けることにより、通常、ユーザは外部から、インクタンク３８を交換することが出来る。カートリッジドア１３３には、図１３に示すような突起部１３３ａがあり、アクチエータ１３５を押し、制御基板４１の裏に実装されているフォトインタラプタ４２を遮ったりして、カートリッジドアの開閉を検知している。なお、このカートリッジドア１３３の開閉を検知することにより、通常、カートリッジ３９のヘッド部が乾燥してしまうのを防止するために図示しない図１２の右奥側に退避しているが、カートリッジドア１３３が開いたことを検知すると図１２の位置にカートリッジ３９が、ユーザがインクタンク３８を交換できる位置に移動する。また、記録紙排紙トレイ１３１および記録紙排紙補助トレイ１３２は、記録を行っていないときは、記録紙排紙補助トレイ１３２を矢印Ｅの方向にスライドさせ、記録紙排紙トレイ１３１の中に収納できる。さらに、記録紙排紙トレイ１３１は矢印Ｆの方向に閉じることができ、最終的には図１のような状態にすることができる。逆に、外から、インクカートリッジ３８を交換するには、まず、図２の矢印Ｆと反対方向に記録紙排紙トレイを開き、図９のような状態にし、さらに、カートリッジドア１３３を図１２の矢印Ｇ方向に開くことにより交換等のメンテナンスをおこなうことができる。このカートリッジドア１３３は、記録紙排紙トレイ１３１と違い、矢印Ｇの開く方向が横方向であるため、カートリッジ３９の手前側に手を入れるスペースを広く出来るメリットがある。
【００２３】
次に本発明の開閉検知センサについて図１８〜図２０を使って説明する。図１８の状態では、記録紙積載トレイ４０３とカートリッジドア４０２が閉じた状態では、突起部４０３ａによりアクチュエータ４０１はフォトインタラプタ４００を遮る状態になっている。この状態では、記録の印字を禁止している。次に、記録紙積載トレイ４０３を開くと図１９に示すように、カートリッジドア４０２の突起部４０２ａにより、アクチュエータ４０１はフォトインタラプタ４００を遮らない状態になっている。この状態では、印字可能にしている。次に、カートリッジドア４０２を開くと図２０に示すようにアクチュエータ４０１は自重でフォトインタラプタ４００を遮る状態になっている。この状態でカートリッジ交換を行うようにしている。
【００２４】
次に本発明の開閉検知センサの制御について図２１のフローチャートを使って説明する。まず、開閉検知センサ４００の状態をみる。（Ｓ１）遮断されていれば印字禁止（Ｓ２）とし、カートリッジを交換位置まで移動させる。（Ｓ３）その後、一定時間待って（Ｓ４）からカートリッジを待機位置に戻す。（Ｓ５）この一定時間内にカートリッジを交換する。（Ｓ７）また、遮断されていない時は常に印字可能状態（Ｓ６）としている。この構成により、一つのセンサでカートリッジ交換と排紙積載トレイの閉め忘れによるジャム防止を達成できる。
【００２５】
尚、本実施例で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００２６】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００２７】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００２８】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００２９】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００３０】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００３１】
また、本発明の記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００３２】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００３３】
次に電気基板部４について説明する。
【００３４】
図１４は、全体の電気基板の構成と周辺の構成を表した図である。ボトムケース３００に電源４５が取り付けてあり、その上から記録部３が取り付けてある。電源４５のインレット４５ａは外部より電源コードが取り付けられる。インレット４５ａは抜き差し時に根元に力がかかり基板から引き剥がされる力がかかるため、電源窓１４０をつけてボトムケース３００にインレット１４０ａを直接ネジ止めしている。電源部詳細図の図１７のインレット溝４５ｂに電源窓端部１４０ａが入り、電源窓穴１４０ｂとボトムケースビス穴３００ａとがネジ止めされる。中継基板４４は、記録部３のモータのコネクタ４６、記録紙の位置を検出するフォトインタラプタ４７、中板３６を押し下げるカムの位置を検出するフォトインタラプタ４８が実装されており、これらをコネクタ４９からまとめて、制御基板４１と接続されている。これにより、制御基板４１との接続が集中できるため、組立が容易になる。
【００３５】
記録部３の上にはミドルフレーム２００を取り付け、ミドルフレーム２００には制御基板４１と、前述のカード基板５１がほぼ同一の高さに取り付けてある。制御基板４１は、本体では後方に取り付けてある。また、制御基板４１には、ＵＳＢコネクタ４３が実装されており、図１１の背面カバーの開口部と符合している。図６と図１５に示したように、ミドルフレームの左面２００ａは基板取り付け面より高くなっている。これは、前述のインクタンク３８交換の際のカートリッジ３９の交換位置の上に当る位置であり、カートリッジ３９の上の天井を高くすることにより、手の入るスペースを確保したものである。また、ミドルフレームの左端２００ｂは基板取り付け面と同じ高さになっている。これにより、読取部２の駆動部１２２が出っ張っており、それが収まるスペースとなっている。図１６は、図１５にパネル部１を取り付けた図で、前述のように、カードスロット部５のほぼ真上に配置されており、制御基板４１との接続が容易となっている。このような基板配置された状態で、図１４において、読取部２が上から収まる構成となっている。以上のような、電気基板構成にすることにより、デッドスペースがほとんどなく、効率的にかつ、使いやすいレイアウトにできている。
【００３６】
次に本画像読取記録装置のオペレーションの一例について説明する。図１のパネル部のキーを操作することにより、動作させる。たとえば、コピーを行うときの操作について説明する。電源キー１２ｆを押す。次に、機能キー１２ｃでコピーキーを選択する。メニューキーで、画質、記録させるメディアを選択、矢印キー１２ａでコピー枚数を設定する。カラー選択キー１２ｂでカラーコピーか、白黒コピーかを選択する。その後、圧板２１を開けて、コピーしたい原稿をガラス２３上にセットする。記録紙を記録紙トレイ３２にセットし、最後にパネル部１のスタートキー１２ｅを押すと、コピー出来る。このように、パネル部１のキーは、操作する順番に左から右に操作することにより、すべての操作が抜けなく、自然におこなうことが出来るように配置されている。操作方法の例として、コピーで説明したが、最初の機能キー１２ｃで、スキャンを選択すると、ＵＳＢ４３を通じて接続されているＰＣからのスキャンをさせることができる。また、写真を選択すると、前述のカードスロット部５に挿入されている画像を直接記録部３に記録させることができる。
【図面の簡単な説明】
【００３７】
【図１】本発明の実施例に係る画像読取記録装置の斜視図
【図２】本発明の実施例に係る画像読取記録装置の断面図
【図３】本発明の実施例に係る画像読取記録装置のパネル部の拡大図
【図４】本発明の実施例に係る画像読取記録装置のパネル部の断面図
【図５】本発明の実施例に係る画像読取記録装置のパネル部の裏面図
【図６】本発明の実施例に係る画像読取記録装置の電気基板の取り付け図
【図７】本発明の実施例に係る画像読取記録装置の圧板を開いた状態図
【図８】本発明の実施例に係る画像読取記録装置の画像読取部の構造図
【図９】本発明の実施例に係る画像読取記録装置のトレイを開いた状態の外観図
【図１０】本発明の実施例に係る画像読取記録装置のトレイを開いた状態の背面外観図
【図１１】本発明の実施例に係る画像読取記録装置のトレイを閉じた状態の背面外観図
【図１２】本発明の実施例に係る画像読取記録装置のカートリッジドア開いた状態の外観図
【図１３】本発明の実施例に係る画像読取記録装置のカートリッジドアのセンサ配置図
【図１４】本発明の実施例に係る画像読取記録装置の電気基板の配置組立図
【図１５】本発明の実施例に係る画像読取記録装置の電気基板取り付けの平面図
【図１６】本発明の実施例に係る画像読取記録装置の電気基板取り付けかつパネル部を取り付けた状態図
【図１７】本発明の実施例に係る画像読取記録装置の電源部の詳細図
【図１８】本発明の実施例に係る開閉検知センサの動作断面図
【図１９】本発明の実施例に係る開閉検知センサの動作断面図
【図２０】本発明の実施例に係る開閉検知センサの動作断面図
【図２１】本発明の実施例に係る開閉検知センサの制御フローチャート
【符号の説明】
【００３８】
１  パネル部
２  読取部
３  記録部
４  電気基板部
５  カードスロット部
２１  圧板
２３  ガラス
３１  記録紙トレイ
３２  記録紙補助トレイ
３８  インクタンク
３９  カートリッジ
４１  制御基板
４２  カートリッジドア用フォトインタラプタ
４３  ＵＳＢコネクタ
４４  中継基板
４５  電源
１００  記録紙
２００  ミドルフレーム
３００  ボトムケース
１３１  記録紙排紙トレイ
１３２  記録紙排紙補助トレイ
１３３  カートリッジドア
４００  開閉検知センサ
４０１  アクチュエータ
４０２  カートリッジドア
４０３  記録紙積載トレイ
【図１】
2006217029.tif 000003
【図２】
2006217029.tif 000004
【図３】
2006217029.tif 000005
【図４】
2006217029.tif 000006
【図５】
2006217029.tif 000007
【図６】
2006217029.tif 000008
【図７】
2006217029.tif 000009
【図８】
2006217029.tif 000010
【図９】
2006217029.tif 000011
【図１０】
2006217029.tif 000012
【図１１】
2006217029.tif 000013
【図１２】
2006217029.tif 000014
【図１３】
2006217029.tif 000015
【図１４】
2006217029.tif 000016
【図１５】
2006217029.tif 000017
【図１６】
2006217029.tif 000018
【図１７】
2006217029.tif 000019
【図１８】
2006217029.tif 000020
【図１９】
2006217029.tif 000021
【図２０】
2006217029.tif 000022
【図２１】
2006217029.tif 000023